(57)【要約】【課題】  様々な表示態様を実現可能であって、意匠性および趣向性を向上させることができる携帯端末装置を提供することを目的とする。【解決手段】  本発明の携帯端末装置１００は、表面にハーフミラーコート１７０処理されたボタン１２０ａを有し、裏面に字形または図形が印刷されたキー操作部１２０と、キー操作部１２０が開口部１０２ｂに配設される筐体１０２と、筐体１０２内部に収容される基板１３０と、基板１３０に実装される２色以上の発光ダイオード１３２ａ〜１３２ｄと、動作アプリケーションに応じて発光ダイオード１３２ａ〜１３２ｄの発光パターンを制御する制御部１１０とを備え、字形または図形は２色以上の色彩で印刷されていて、一方の色彩の印刷では発光ダイオード１３２ａ〜１３２ｄのいずれかの発光色の光を透過し、他方の色彩の印刷ではこの光の少なくとも一部を吸収することを特徴とする。【選択図】図５
2011176563.tif 000002
【特許請求の範囲】
【請求項１】
表面にハーフミラーコート処理されたボタンを有し、裏面に字形または図形が印刷されたキー操作部と、
該キー操作部が開口部に配設される筐体と、
該筐体内部に収容される基板と、
該基板に実装される２色以上の発光ダイオードと、
動作アプリケーションに応じて前記発光ダイオードの発光パターンを制御する制御部と
を備え、
前記字形または図形は、前記発光ダイオードのいずれかの発光色の光を透過させ、その他の発光色の光を吸収することを特徴とする携帯端末装置。
【請求項２】
前記字形または図形の色彩には補色対が含まれ、前記発光ダイオードの発光色にも同一の補色対が含まれ、
前記制御部は、前記補色対のうち一方の発光色の発光ダイオードを発光させることにより、同色で印刷された字形または図形を前記表面へ透過させることを特徴とする請求項１に記載の携帯端末装置。
【請求項３】
前記ボタン１つにつき、２以上の字形または図形が前記補色対となる色彩でそれぞれ印刷されていることを特徴とする請求項２に記載の携帯端末装置。
【請求項４】
前記字形または図形は、マトリックス状のドットパターンとして印刷されていることを特徴とする請求項３に記載の携帯端末装置。
【請求項５】
前記キー操作部の表面には前記ボタンが複数配置されていて、該キー操作部の裏面には、複数の前記ボタンにわたって、色相環に沿って段階的に変化する色彩で字形または図形が印刷されていて、前記発光ダイオードのいずれかの発光色の光を透過させる度合が段階的に変化することを特徴とする請求項１に記載の携帯端末装置。
【請求項６】
当該携帯端末装置が、操作させるべきボタンを案内するボタンナビ機能を有するアプリケーションを備えていることを特徴とする請求項５に記載の携帯端末装置。
【請求項７】
当該携帯端末装置は、無線通信部をさらに備え、
前記制御部は、音声通信アプリケーションまたは字形または図形入力アプリケーションの動作中に、前記発光パターンを制御することを特徴とする請求項１から６のいずれか１項に記載の携帯端末装置。
【請求項８】
表示部と、
該表示部が配設され、１軸または多軸回動自在なヒンジ部によって前記筐体と結合される第２筐体と、
前記筐体および第２筐体の開閉状態を検知する開閉状態検知部とをさらに備え、
前記制御部は、前記開閉状態検知部からの出力信号に応じて、前記発光パターンを制御することを特徴とする請求項１から７のいずれか１項に記載の携帯端末装置。
【発明の詳細な説明】
【技術分野】
【０００１】
本発明は、携帯電話やＰＨＳなどの携帯端末装置に関する。
【背景技術】
【０００２】
近年、ユーザは、携帯電話やＰＨＳ（Personal Handy phone System）、ＰＤＡ（Personal Digital Assistant）等の携帯端末装置を選ぶ際の基準として、意匠性や趣向性を非常に重要視している。当業者らは、需要者のニーズに応えるために、端末のカラーバリエーションを増やしたり、発光ダイオードによるキー照明を工夫したり、特殊な表示態様を導入したりしている。
【０００３】
特許文献１には、スライドシートに印字された２通りの表示のうち、第１筐体に対する第２筐体の開閉方向（長手方向、短手方向）に基づき一方が隠れるように構成することで、各キーの表示を切り替えることが可能な折り畳み式携帯端末装置が開示されている。
【０００４】
また、特許文献２には、プッシュスイッチ（押圧ボタン部）に補色対の関係にある一方の色で当選役の情報を記載し、他方の色で当選役の情報およびこの当選役への当選可能性の程度の情報を記載し、発光ダイオードの発光色を一方の色または他方の色に切り替えることで、その表示を切り替えることが可能なスロットマシンが開示されている。特許文献２では、発光ダイオードの発光色を一方の色とすると、同色である一方の色で記載された当選役の情報が同色に紛れて目視不可能となり、補色対の関係にある他方の色で記載された当選役の情報およびこの当選役への当選可能性の程度の情報が滅法混色によって黒色に変換されて外部から目視可能に表示されるとしている。
【先行技術文献】
【特許文献】
【０００５】
【特許文献１】特開２００９−２９６０９０号公報
【特許文献２】特開２００８−２３７３８６号公報
【発明の概要】
【発明が解決しようとする課題】
【０００６】
上記特許文献１の技術では、スライドシートに印字された２通りの表示のうち一方を表示窓から露出し、他方が隠れるようにする必要があるので、端末の大型化或いはボタンの狭小化を招くおそれがある。加えて、スライドシートを移動可能に保持するために、スライドシートよりも大きな取付面積が必要となる。
【０００７】
上記特許文献２の技術では、補色対の関係にある一方の色の光を照射して他方の色で記載された情報を減法混色によって黒色に変換する、すなわち一方の色の光を吸収させるので、外光がない環境では照度を確保し得ない。そもそも、特許文献２の技術はスロットマシンを対象としていて、携帯端末装置に適用されるものではない。
【０００８】
本発明は、このような課題に鑑みてなされたものであり、様々な表示態様を実現可能であって、意匠性および趣向性を向上させることが可能な携帯端末装置を提供することを目的とする。
【課題を解決するための手段】
【０００９】
上記課題を解決するために本発明にかかる携帯端末装置の代表的な構成は、表面にハーフミラーコート処理されたボタンを有し、裏面に字形または図形が印刷されたキー操作部と、キー操作部が開口部に配設される筐体と、筐体内部に収容される基板と、基板に実装される２色以上の発光ダイオードと、動作アプリケーションに応じて発光ダイオードの発光パターンを制御する制御部とを備え、字形または図形は、発光ダイオードのいずれかの発光色の光を透過させ、その他の発光色の光を吸収することを特徴とする。
【００１０】
かかる構成によれば、発光させる発光ダイオードの発光色に応じて、ユーザに視認される表示を変更することができる。よって、様々な表示態様を実現することができ、意匠性および趣向性を向上させることができる。
【００１１】
上記字形または図形の色彩には補色対が含まれ、発光ダイオードの発光色にも同一の補色対が含まれ、制御部は、補色対のうち一方の発光色の発光ダイオードを発光させることにより、同色で印刷された字形または図形を表面へ透過させるとよい。
【００１２】
かかる構成によれば、補色対のうち一方の発光色の発光ダイオードを発光させることにより、同色で印刷された字形または図形が所定の照度でユーザに視認され、補色で印刷された字形または図形はハーフミラーコートごしに視認することができなくなる。これより、好適にキー操作部の表示態様を切り替えることができる。
【００１３】
上記ボタン１つにつき、２以上の字形または図形が補色対となる色彩でそれぞれ印刷されているとよい。
【００１４】
かかる構成によれば、発光させる発光ダイオードの発光色に応じて、各ボタンの表示を切り替えることが可能となる。
【００１５】
上記字形または図形は、マトリックス状のドットパターンとして印刷されるとよい。
【００１６】
かかる構成によれば、所定の範囲に２以上の字形または図形を印刷する場合であっても、複数の字形または図形を互いに干渉させることなく１つのボタンの領域に印刷可能であるため、字形または図形を小さくすることなく印刷可能である。
【００１７】
上記キー操作部の表面にはボタンが複数配置されていて、このキー操作部の裏面には、複数の前記ボタンにわたって、色相環に沿って段階的に変化する色彩で字形または図形が印刷されていて、発光ダイオードのいずれかの発光色の光を透過させる度合が段階的に変化してもよい。
【００１８】
かかる構成によれば、ボタンごとの電飾（イルミネーション）をグラデーションにすることが可能であり、電飾の多様化を図ることができる。
【００１９】
当該携帯端末装置が、操作させるべきボタンを案内するボタンナビ機能を有するアプリケーションを備えているとよい。
【００２０】
かかる構成では、発光ダイオードを追加することなく、ボタンナビ機能を実現することが可能である。
【００２１】
当該携帯端末装置は、無線通信部をさらに備え、制御部は、音声通信アプリケーションまたは字形または図形入力アプリケーションの動作中に、発光パターンを制御するとよい。
【００２２】
かかる構成では、少なくとも音声通信アプリケーション（通話）、または字形入力アプリケーション（メール）動作中に、キー照明等の表示態様が変動される。これより、意匠性および趣向性の向上を図ることができる。
【００２３】
当該携帯端末装置は、表示部と、この表示部が配設され、１軸または多軸回動自在なヒンジ部によって筐体と結合される第２筐体と、筐体および第２筐体の開閉状態を検知する開閉状態検知部とをさらに備え、制御部は、開閉状態検知部からの出力信号に応じて、発光パターンを制御するとよい。
【００２４】
かかる構成によれば、筐体および第２筐体の開閉状態に応じて、キー操作部の表示態様を切り替えることができる。すなわち、筐体および第２筐体の開閉方向（向き）に合うように、キー操作部に字形または図形を表示させることができる。
【発明の効果】
【００２５】
本発明によれば、様々な表示態様を実現可能であって、意匠性および趣向性を向上させることができる携帯端末装置を提供可能である。
【図面の簡単な説明】
【００２６】
【図１】第１実施形態にかかる携帯端末装置の斜視図である。
【図２】図１の携帯端末装置の要部の分解斜視図である。
【図３】図２の発光素子部の配置について説明する図である。
【図４】図１の携帯端末装置の概略構成を示す機能ブロック図である。
【図５】図１の携帯端末装置のキーバックライトについて説明する図である。
【図６】図１の携帯端末装置の表示態様を例示する図である。
【図７】ドットパターンとしての字形等の印刷について説明する図である。
【図８】補色対について説明するためのカラーチャート（色相環）である。
【図９】第２実施形態にかかる携帯端末装置のキーバックライトについて説明する図である。
【図１０】図９の携帯端末装置の表示態様を例示する図である。
【図１１】図９の携帯端末装置のボタンナビ機能について説明する図である。
【図１２】第３実施形態にかかる携帯端末装置の斜視図である。
【図１３】図１２の携帯端末装置の表示態様を例示する図である。
【発明を実施するための形態】
【００２７】
以下に添付図面を参照しながら、本発明の好適な実施形態について詳細に説明する。係る実施形態に示す寸法、材料、その他具体的な数値等は、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、又、本発明に直接関係のない要素は図示を省略する。
【００２８】
[第１実施形態]
図１は、第１実施形態にかかる携帯端末装置１００の斜視図である。図２は、携帯端末装置１００の要部の分解斜視図である。なお、図面では、携帯端末装置１００として携帯電話を例示しているが、ＰＨＳ、ＰＤＡ、ノート型パーソナルコンピュータ、デジタルカメラ、音楽プレイヤー、カーナビゲーション、ＰＮＤ（Personal Navigation Device）、ゲーム機器、ＤＶＤプレイヤー、リモートコントローラ等を用いてもよい。
【００２９】
図１に示すように、携帯端末装置１００は、筐体１０２と第２筐体１０４とがヒンジ部１０６によって連結され、ユーザによって開閉可能に構成されている。筐体１０２にはキー操作部１２０および音声入力部１４０が備えられ、第２筐体１０４には表示部１１４および音声出力部１４２が備えられる。
【００３０】
図２に示すように、キー操作部１２０は、筐体１０２のフロントケース１０２ａの開口部１０２ｂに配設されている。キー操作部１２０の表面には、光透過性の透明または半透明のプラスチック部材からなる複数のボタン１２０ａが形成される。
【００３１】
すなわち、携帯端末装置１００は、キーバックライトを採用している。各ボタン１２０ａは、ハーフミラーコート１７０（図５参照）処理されていて、外部（明るい場所）からの内部の視認が抑制されている。
【００３２】
また、キー操作部１２０の裏面には、各ボタン１２０ａにつき２色以上の色彩で所定の字形または図形（以下、字形等と称する）が印刷されている。かかる詳細については、後程図５および図６と併せて説明する。なお、字形等としては、「１」、「２」、「＃」、「アプリ」などが例示される。
【００３３】
キー操作部１２０の下には、弾性を有するラバーシート１２６が設けられる。ラバーシート１２６には、それぞれのボタン１２０ａに対応するように複数の突出部１２６ａが形成されている。
【００３４】
ラバーシート１２６の下には、メタルスイッチシート１２８が設けられる。メタルスイッチシート１２８には、それぞれのボタン１２０ａに対応するように複数のメタルドームスイッチ１２８ａが配置されている。
【００３５】
ユーザが、いずれかのボタン１２０ａを押圧すると、その下部に配設されたラバーシート１２６の突出部１２６ａが凹み、メタルドームスイッチ１２８ａがこれを検知する。これより、メタルドームスイッチ１２８ａが後述する制御部１１０等へと検出信号を転送する。
【００３６】
メタルスイッチシート１２８の下には、基板１３０が設けられる。基板１３０には、複数の発光素子部１３２が実装される。
【００３７】
図３は、発光素子部１３２の配置について説明する図である。ここでは、基板１３０にメタルスイッチシート１２８を積層した状態を図示している。図３に示すように、発光素子部１３２は、メタルドームスイッチ１２８ａ同士の間、すなわちボタン１２０ａ同士の間に配置される。ここでは、発光素子部１３２を１４個実装している。
【００３８】
図４は、図１の携帯端末装置１００の概略構成を示す機能ブロック図である。以下、図４を参照しながら、携帯端末装置１００の各部機能構成について説明する。
【００３９】
制御部１１０は、中央処理装置（ＣＰＵ）を含む半導体集積回路により端末全体を管理および制御する。具体的には、記憶部１１２に記憶されたプログラム（アプリケーション）を動作させて、所定の機能を実施する。
【００４０】
例えば、音声通信アプリケーションを動作させて、無線通信部１４４を制御し音声通信（通話）を実行する。また、字形入力アプリケーションを動作させて、メールの作成および、無線通信部１４４を制御しメールの送受信を実行する。
【００４１】
記憶部１１２は、ＲＯＭ、ＲＡＭ、ＥＥＰＲＯＭ、不揮発性ＲＡＭ、フラッシュメモリ等で構成され、端末に搭載される各種プログラム（アプリケーション）を格納する。
【００４２】
発光素子部１３２は、補色対の関係にある２色の発光ダイオードを少なくとも含んで構成される。発光素子部１３２の発光パターンは、動作アプリケーションに基づき制御部１１０によって制御される。
【００４３】
発光素子部１３２の発光パターンは予め記憶部１１２に複数記憶されていて、制御部１１０が動作アプリケーションに基づき、発光ダイオードをいずれの発光パターンで発光させるかを選択するものとしてよい。
【００４４】
なお、制御部１１０は、ユーザがボタン１２０ａを押圧してメタルドームスイッチ１２８ａから検出信号が転送されると、所定の時間だけ発光素子部１３２を発光させるように制御を行うと好適である。
【００４５】
表示部１１４は、液晶ディスプレイ、ＥＬ(Electro Luminescence)ディスプレイ等とそのコントローラで構成される。表示部１１４には、記憶部１１２に記憶された動画データやアプリケーションのＧＵＩ（Graphical User Interface）、通信網を介してＷｅｂサーバから提供されるＷｅｂコンテンツ等が表示される。
【００４６】
キー操作部１２０は、上記のようにユーザによるボタン１２０ａの押圧を検知して、制御部１１０等へと検出信号を転送し、ユーザの操作入力を受け付ける。なお、キー操作部１２０の代わりにタッチパネル等の他の入力手段を設けてもよい。
【００４７】
音声入力部１４０は、マイク等の音声認識手段で構成され、通話時に入力されたユーザの音声を端末内で処理可能な電気信号に変換する。音声出力部１４２は、スピーカ等で構成され、受信した通話相手の音声信号を音声に変えて出力する。また、音声出力部１４２は、着信音や、キー操作部１２０の操作音、アラーム音等も出力可能である。
【００４８】
無線通信部１４４は、アンテナ１４４ａを介して、ＣＤＭＡやＷｉＭＡＸ（Worldwide Interoperability for Microwave Access）等の無線通信方式にて基地局１４４ｂとの無線通信を確立し、通信相手との音声通信やＷｅｂサーバとのデータ通信を遂行する。
【００４９】
図５は、携帯端末装置１００のキーバックライトについて説明する図である。図６は、携帯端末装置１００の表示態様を例示する図である。なお、図５は理解を容易にするための概念図であって、ラバーシート１２６、メタルスイッチシート１２８等の図示が省略されている。
【００５０】
以下では、発光素子部１３２が、補色対の関係にある赤色発光ダイオード１３２ａ、青緑色発光ダイオード１３２ｂを有するものとして説明する。
【００５１】
また、テンキー１５０については、各ボタン１２０ａに対し左側に赤色の色彩で所定の字形等（例えば、「１」、「２」…等）が印刷され、右側に青緑色の色彩で所定の字形等（例えば、「あ」、「か」…等）が印刷される。すなわち、所定の字形等は、上記発光ダイオードの発光色と同一の補色対の色彩を含んで印刷される。残りの部分（以下ベース１２２ｅと称する）には、黒印刷または白印刷が施される。ファンクションキー１５２や十字キー１５４については当業者にとって周知の一般の構成とする。
【００５２】
図５（ａ）は、赤色発光ダイオード１３２ａを用いてテンキー１５０を照光する図であり、図６（ａ）はその表示態様を例示する図である。
【００５３】
図５（ａ）に示すように、赤色発光ダイオード１３２ａから発せられた赤色光は、赤印刷１２２ａを透過する。一方、赤色光は、青緑印刷１２２ｂに対して吸収される。
【００５４】
また、赤色光は、白印刷に対しては反射し、黒印刷に対しては吸収されるため、ベース１２２ｅを透過し得ない。
【００５５】
これより、図６（ａ）に例示するように、キー操作部１２０のテンキー１５０では、左側の赤印刷１２２ａの印字のみがユーザに視認可能に表示される。各ボタン１２０ａがハーフミラーコート１７０処理されているため、青緑印刷１２２ｂはユーザから視認されない。
【００５６】
なお、赤色発光ダイオード１３２ａの赤色光は赤印刷１２２ａの印字部分のみを透過する、すなわち周囲のベース１２２ｅを透過しないため、同色に紛れて赤印刷１２２ａの印字部分が視認不可能となるおそれはない。
【００５７】
図５（ｂ）は、青緑色発光ダイオード１３２ｂを用いてテンキー１５０を照光する図であり、図６（ｂ）はその表示態様を例示する図である。
【００５８】
図５（ｂ）に示すように、青緑色発光ダイオード１３２ｂから発せられた青緑色光は、青緑印刷１２２ｂを透過する。一方、青緑光は、赤印刷１２２ａに対して吸収される。
【００５９】
また、青緑光は、白印刷に対しては反射し、黒印刷に対しては吸収されるため、ベース１２２ｅを透過し得ない。
【００６０】
これより、図６（ｂ）に例示するように、キー操作部１２０のテンキー１５０では、右側の青緑印刷１２２ｂの印字のみがユーザに視認可能に表示される。各ボタン１２０ａがハーフミラーコート１７０処理されているため、赤印刷１２２ａはユーザから視認されない。
【００６１】
故に、発光素子部１３２の制御によって、テンキー１５０の２通りの表示を切り替えることが可能である。当然ながら、これはファンクションキー１５２や十字キー１５４にも適用可能である。
【００６２】
図７は、ドットパターン１６０としての字形等の印刷について説明する図である。図７に示すように、例えばマトリックス状のドットパターン１６０として赤印刷１２２ａで「１」を印刷し、青緑印刷１２２ｂで「あ」を印刷してもよい。これより、各字形等の表示を小さくすることなく、印刷することが可能である。
【００６３】
図８は、補色対について説明するためのカラーチャート（色相環）である[参考資料:“カラーチャート”、インターネット＜URL:http://www.asahi-net.or.jp/~GA2A-MYZK/xp_color/24colors.html＞]。上記では、補色対の例として赤色と青緑色を用いたが、他の補色対を利用してもよい。例えば、黄色と青紫、オレンジと青、赤紫と緑等の補色対を用いることができる。これより、種々の表示態様を実現することができるので、意匠性や趣向性を向上させることができる。
【００６４】
以上、上述した第１実施形態によれば、発光ダイオードの発光色の切替により、キー操作部１２０の表示を切り替えることが可能となる。これより、動作アプリケーションに基づき、様々な表示態様を実施することができる。
【００６５】
なお、当然ではあるが携帯端末装置１００では、発光色と同色の字形等を照光してユーザに視認させるため、外光がない環境でも所定の照度を確保し得る。
【００６６】
[第２実施形態]
図９は、第２実施形態にかかる携帯端末装置２００のキーバックライトについて説明する図である。図１０は、携帯端末装置２００の表示態様を例示する図である。
【００６７】
第２実施形態における第１実施形態との差異は、キー操作部２２０および発光素子部２３２の構成である。なお、図９は理解を容易にするための概念図であって、ラバーシート１２６、メタルスイッチシート１２８等の図示が省略されている。
【００６８】
以下では、発光素子部２３２が、図８のカラーチャートの円に内接する正三角形Ｍの各頂点の色彩で発光する赤色発光ダイオード１３２ａ、黄緑色発光ダイオード１３２ｃ、青色発光ダイオード１３２ｄを有するものとして説明する。なお、正三角形Ｍは、赤、黄緑、青が、それぞれ、色相関において反対色に近接することを示すものである。よって、これに限らず、例えばオレンジ、紫、緑等であってもよい。
【００６９】
また、テンキー１５０には、左側の列１５０ａに赤色の色彩で所定の字形等（例えば、「１」、「４」…等）が印刷され、中央の列１５０ｂに黄緑色の色彩で所定の字形等（例えば、「２」、「５」…等）が印刷され、右側の列１５０ｃに青色の色彩で所定の字形等（例えば、「３」、「６」…等）が印刷される。すなわち、色相環に沿って段階的に変化する色彩で字形等が印刷されている。
【００７０】
図９（ａ）は、赤色発光ダイオード１３２ａを用いてテンキー１５０を照光する図であり、図１０（ａ）はその表示態様を例示する図である。
【００７１】
図９（ａ）に示すように、赤色発光ダイオード１３２ａから発せられた赤色光は、左側の列１５０ａの赤印刷１２２ａを透過する。一方、赤色光は、中央の列１５０ｂの黄緑印刷１２２ｃおよび右側の列１５０ｃの青印刷１２２ｄに対し一部が吸収され減衰する。これは、カラーチャートにおいて、赤色の補色である青緑色に、黄緑色と青色が近接しているためである。
【００７２】
これより、図１０（ａ）に例示するように、赤色発光ダイオード１３２ａを発光させた場合には、テンキー１５０の左側の列１５０ａの赤印刷１２２ａの印字のみが際立ってユーザに視認されることとなる。
【００７３】
図９（ｂ）は、黄緑色発光ダイオード１３２ｃを用いてテンキー１５０を照光する図であり、図１０（ｂ）はその表示態様を例示する図である。
【００７４】
図９（ｂ）に示すように、黄緑色発光ダイオード１３２ｃから発せられた黄緑光は、中央の列１５０ｂの黄緑印刷１２２ｃを透過する。一方、黄緑光は、左側の列１５０ａの赤印刷１２２ａおよび右側の列１５０ｃの青印刷１２２ｄに対し一部が吸収され減衰する。これは、カラーチャートにおいて、黄緑色の補色である紫色に、赤色と青色が近接しているためである。
【００７５】
これより、図１０（ｂ）に例示するように、黄緑色発光ダイオード１３２ｃを発光させた場合には、テンキー１５０の中央の列１５０ｂの黄緑印刷１２２ｃの印字のみが際立ってユーザに視認されることとなる。
【００７６】
図９（ｃ）は、青色発光ダイオード１３２ｄを用いてテンキー１５０を照光する図であり、図１０（ｃ）はその表示態様を例示する図である。
【００７７】
図９（ｃ）に示すように、青色発光ダイオード１３２ｄから発せられた青光は、右側の列１５０ｃの青印刷１２２ｄを透過する。一方、青光は、左側の列１５０ａの赤印刷１２２ａおよび中央の列１５０ｂの黄緑印刷１２２ｃに対し一部が吸収され減衰する。これは、カラーチャートにおいて、青色の補色であるオレンジ色に、赤色と黄緑色が近接しているためである。
【００７８】
これより、図１０（ｃ）に例示するように、青色発光ダイオード１３２ｄを発光させた場合には、キー操作部１２０のテンキー１５０では、右側の列１５０ｃの青印刷１２２ｄの印字のみが際立ってユーザに視認されることとなる。
【００７９】
上記では、左側の列１５０ａは赤色光で照光され、中央の列１５０ｂは黄緑光で照光され、右側の列１５０ｃは青光で照光される。故に、発光素子部２３２の発光パターンの制御部１１０の制御に基づき、ボタン１２０ａの電飾（イルミネーション）をグラデーションにすることが可能である。また、種々の発光パターンを取り入れることで電飾の多様化を図ることができる。
【００８０】
例えば、制御部１１０が、音声通信アプリケーション動作中や字形入力アプリケーション動作中に、発光素子部２３２を制御し表示態様を変動するように構成とすることができる。これにより、意匠性および趣向性の向上を図ることができる。
【００８１】
図１１は、携帯端末装置２００のボタンナビ機能について説明する図である。図１１（ａ）はボタンナビ機能によって「１」のボタン１２０ａを照光している状態を例示しており、図１１（ｂ）はボタンナビ機能によって「５」のボタン１２０ａを照光している状態を例示している。
【００８２】
図１１（ａ）および（ｂ）に例示すように、携帯端末装置２００では、発光ダイオードを追加することなく、操作させるべきボタン１２０ａを案内するボタンナビ機能を実現することができる。すなわち、基板１３０に実装された１４個の発光素子部２３２の中で、照光したいボタン１２０ａに近接する１つをそのボタン１２０ａを透過する発光色で発光させることにより、１つのボタン１２０ａを際立たせることが可能である。
【００８３】
[第３実施形態]
図１２は、第３実施形態にかかる携帯端末装置３００の斜視図である。図１２（ａ）は筐体３０２に対し第２筐体３０４を縦方向に開いた状態を示す図であり、図１２（ｂ）は筐体３０２に対し第２筐体３０４を横方向に開いた状態を示す図である。
【００８４】
携帯端末装置３００は、筐体３０２と第２筐体３０４とが１軸または多軸回動自在なヒンジ部３０６によって連結されている。すなわち、携帯端末装置３００では、図１２（ａ）に示すように筐体３０２に対し第２筐体３０４を縦方向に開くことができ、且つ、図１２（ｂ）に示すように筐体３０２に対し第２筐体３０４を横方向に開くことができる。
【００８５】
また、携帯端末装置３００は、不図示の開閉状態検知部を備えている。開閉状態検知部は、筐体３０２および第２筐体３０４の開閉状態を検知して、制御部１１０に出力信号を送信する。なお、開閉状態検知部の例として、磁石およびホール素子を筐体内に適宜配設し、ホール電圧を検出する構成がある。
【００８６】
図１３は、携帯端末装置３００の表示態様を例示する図である。以下では、理解を容易にするために、携帯端末装置３００は第１実施形態と同様に、補色対の関係にある赤色発光ダイオード１３２ａ、青緑色発光ダイオード１３２ｂを含む発光素子部１３２を備えるものとする。
【００８７】
図１３（ａ）は、キー操作部３２０に印刷される全ての字形等を例示する図である。図１３（ａ）に例示するように、キー操作部３２０には、縦方向に赤印刷１２２ａで字形等が印刷される。また、横方向に青緑印刷１２２ｂで字形等が印刷される。
【００８８】
図１３（ｂ）は、開閉状態検知部が、端末が縦方向へ開かれたことを検知した状態を例示する図である。図１３（ｂ）に例示するように、開閉状態検知部は縦方向への開放を検知すると制御部１１０に出力信号を発し、赤色発光ダイオード１３２ａを発光させる。これにより、赤色発光ダイオード１３２ａの赤光が赤印刷１２２ａを透過し、青緑印刷１２２ｂに対しては吸収されるため、赤印刷１２２ａの縦方向の印字のみがユーザに視認されることとなる。
【００８９】
図１３（ｃ）は、開閉状態検知部が、端末が横方向へ開かれたことを検知した状態を例示する図である。図１３（ｂ）に例示するように、開閉状態検知部は縦方向への開放を検知すると制御部１１０に出力信号を発し、青緑色発光ダイオード１３２ｂを発光させる。これにより、青緑色発光ダイオード１３２ｂの青緑光が青緑印刷１２２ｂを透過し、赤印刷１２２ａに対しては吸収されるため、青緑印刷１２２ｂの横方向の印字のみがユーザに視認されることとなる。
【００９０】
故に、上記構成によれば、筐体３０２および第２筐体３０４の開閉状態に応じて、キー操作部３２０の表示態様が切り替えられる。すなわち、筐体３０２および第２筐体３０４の開閉方向（向き）に合うように、キー操作部３２０に字形または図形を表示させることが可能である。
【００９１】
以上、本発明の好適な実施形態について詳細に説明したが、本発明は係る実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００９２】
本発明は、携帯電話やＰＨＳなどの携帯端末装置に利用可能である。
【符号の説明】
【００９３】
１００、２００、３００…携帯端末装置、１０２、３０２…筐体、１０２ａ…フロントケース、１０２ｂ…開口部、１０４、３０４…第２筐体、１０６、３０６…ヒンジ部、１１０…制御部、１１２…記憶部、１１４…表示部、１２０、２２０、３２０…キー操作部、１２０ａ…ボタン、１２２ａ…赤印刷、１２２ｂ…青緑印刷、１２２ｃ…黄緑印刷、１２２ｄ…青印刷、１２２ｅ…ベース、１２６…ラバーシート、１２６ａ…突出部、１２８…メタルスイッチシート、１２８ａ…メタルドームスイッチ、１３０…基板、１３２、２３２…発光素子部、１３２ａ…赤色発光ダイオード、１３２ｂ…青緑色発光ダイオード、１３２ｃ…黄緑色発光ダイオード、１３２ｄ…青色発光ダイオード、１４０…音声入力部、１４２…音声出力部、１４４…無線通信部、１４４ａ…アンテナ、１４４ｂ…基地局、１５０…テンキー、１５０ａ…左側の列、１５０ｂ…中央の列、１５０ｃ…右側の列、１５２…ファンクションキー、１５４…十字キー、１６０…ドットパターン、１７０…ハーフミラーコート
【図１】
2011176563.tif 000003
【図２】
2011176563.tif 000004
【図３】
2011176563.tif 000005
【図４】
2011176563.tif 000006
【図５】
2011176563.tif 000007
【図６】
2011176563.tif 000008
【図７】
2011176563.tif 000009
【図９】
2011176563.tif 000010
【図１０】
2011176563.tif 000011
【図１１】
2011176563.tif 000012
【図１２】
2011176563.tif 000013
【図１３】
2011176563.tif 000014
【図８】
2011176563.tif 000015